(57)【要約】【課題】見た目上ＶＣＲと同じ動作を行い、ＶＣＲとの違いから生じる混乱を解消させた再生装置を提供する。【解決手段】制御部６は、現在の再生経過時間と現在の再生経過時間のコンテンツデータが含まれるタイトルとをテレビジョン１０１において表示する。そして、制御部６は、テレビジョン１０１に表示される再生経過時間を、再生時に経過する再生経過時間の時間経過速度より速く経過させる。この時、再生経過時間を速く経過させている間、再生を禁止する。そして、再生キーが押下されると、制御部６は、テレビジョン１０１に表示される再生経過時間を経過させる処理を一時停止し、停止した再生経過時間からコンテンツデータを再生するようＰＵヘッド２及び再生回路３等に指示する。これにより、ユーザは所望の位置からＤＶＤをテレビジョン１０１において視聴できる。このように、光ディスク装置１では早送りの動作がＶＣＲと見た目上同じになっている。【選択図】  図６
2009020973.tif 000002
【特許請求の範囲】
【請求項１】
コンテンツデータの記憶位置が再生経過時間で特定されるメディアであってランダムアクセスタイプのメディアから、該コンテンツデータを読取って再生する再生手段と、
前記再生手段による前記コンテンツデータの前記再生時、その再生に応じて経過する前記再生経過時間を表示する表示手段と、を備えた再生装置において、
予め定められた入力操作により前記再生と異なる早送りが指定されると、前記表示手段に表示される前記再生経過時間を、前記再生時に経過する前記再生経過時間の時間経過速度より速く経過させるとともに、前記再生経過時間を速く経過させている間、前記再生手段による前記再生を禁止する早送制御手段を備え、
前記早送制御手段は、
前記早送りの終了が指定されると、前記表示手段に表示される前記再生経過時間を速く経過させる処理を停止し、
前記再生が指定されると、停止した前記再生経過時間から前記コンテンツデータを再生するよう前記再生手段に指示する再生装置。
【請求項２】
予め定められた入力操作により前記再生と異なる巻戻しが指定されると、前記表示手段に表示される前記再生経過時間を、前記再生時に経過する前記再生経過時間の時間経過速度より速く戻させるとともに、前記再生経過時間を速く戻させている間、前記再生手段による前記再生を禁止する巻戻制御手段を備え、
前記巻戻制御手段は、
前記巻戻しの終了が指定されると、前記表示手段に表示される前記再生経過時間を速く戻させる処理を停止し、
前記再生が指定されると、停止した前記再生経過時間から前記コンテンツデータを再生するよう前記再生手段に指示する請求項１に記載の再生装置。
【請求項３】
前記メディアには、コンテンツデータがタイトル毎に記録されており、
前記表示手段は、前記早送り中又は前記巻戻し中、現在の再生経過時間のコンテンツデータを含むタイトルの名称又は番号を表示する請求項１又は２に記載の再生装置。
【請求項４】
前記メディアは、光ディスクである請求項１から３のいずれかに記載の再生装置。
【発明の詳細な説明】
【技術分野】
【０００１】
本発明は、ＤＶＤやＨＤなどのランダムアクセスタイプのメディアを再生するとともに、その再生に応じて経過する再生経過時間を表示する再生装置に関するものである。
【背景技術】
【０００２】
従来より、ビデオテープなどのシーケンシャルアクセスタイプのメディアが一般に長く普及してきた。さらに、近年、ＤＶＤ（Digital Versatile Disk）やＨＤ（Hard Disk）などのメディアも一般に普及してきた。
【０００３】
上記のビデオテープに記録されている映像や音声を再生する装置として、ビデオカセットレコーダ（ＶＣＲ）が一般に普及している。このビデオテープは、シーケンシャルアクセスタイプのメディアであるので、ＶＣＲは、ビデオテープの所望の位置まで順次アクセスしていかなければならない。そこで、一般的なＶＣＲには、ビデオテープの早送り／巻戻しを高速に行う早送り／巻戻し機能が設けられている。この早送り／巻戻し機能は、ビデオテープの再生を停止して、ビデオテープを移送するキャプスタンモータを高速に回転させる機能である。この機能により、ユーザは、ビデオテープの早送り／巻戻しを短時間で行える。この早送り／巻戻しの間、ＶＣＲは、現在位置を再生経過時間として表示する。ユーザは、この表示を見ながら、所望の再生経過時間まで待って早送り／巻戻しを停止し、所望の再生経過時間から再生する。これにより、ユーザは、所望の位置からビデオテープを視聴できる。
なお、特許文献１では、情報記録再生装置が提案されている。
【特許文献１】特開２００５−３３２５１５公報
【発明の開示】
【発明が解決しようとする課題】
【０００４】
しかしながら、上記のＤＶＤやＨＤは、所望の位置にダイレクトにアクセス可能なランダムアクセスタイプのメディアである。そのため、ＤＶＤに記録されている映像や音声を再生するＤＶＤプレーヤは、ＶＣＲと違い、ＤＶＤの所望の位置までダイレクトにアクセスできる。また、早送り／巻戻しの方法も、上述のビデオテープと違っている。ＤＶＤプレーヤにおける早送りは、早送り再生とも呼ばれ、映像や音声を通常再生より高速に再生することにより行われる。また、ＤＶＤプレーヤにおける巻戻しは、早戻し再生とも呼ばれ、通常再生と逆方向に映像や音声を通常再生より高速に再生することにより行われる。
そのため、従来よりＶＣＲを使用してきたユーザは、ＤＶＤプレーヤやＨＤレコーダを使用する際、それらＶＣＲとの違いから戸惑いを感じることがあった。特に、お年よりは、近年のＤＶＤプレーヤ等に不慣れなことが多く、戸惑いを感じることが多かった。従って、従来の再生装置は、ＶＣＲとの違いから、ＤＶＤプレーヤ等に不慣れなユーザを混乱させることが多かった。
【０００５】
本発明はこのような従来の課題を解決しようとするものであり、見た目上ＶＣＲと同じ動作を行い、ＶＣＲとの違いから生じる混乱を解消させた再生装置を提供することを目的とする。
【課題を解決するための手段】
【０００６】
本発明の再生装置は、前記課題を解決するために以下の構成を備えている。
【０００７】
（１）コンテンツデータの記憶位置が再生経過時間で特定されるメディアであってランダムアクセスタイプのメディアから、該コンテンツデータを読取って再生する再生手段と、
前記再生手段による前記コンテンツデータの前記再生時、その再生に応じて経過する前記再生経過時間を表示する表示手段と、を備えた再生装置において、
予め定められた入力操作により前記再生と異なる早送りが指定されると、前記表示手段に表示される前記再生経過時間を、前記再生時に経過する前記再生経過時間の時間経過速度より速く経過させるとともに、前記再生経過時間を速く経過させている間、前記再生手段による前記再生を禁止する早送制御手段を備え、
前記早送制御手段は、
前記早送りの終了が指定されると、前記表示手段に表示される前記再生経過時間を速く経過させる処理を停止し、
前記再生が指定されると、停止した前記再生経過時間から前記コンテンツデータを再生するよう前記再生手段に指示する。
【０００８】
この構成において、メディアは、例えば光ディスク、半導体メモリ、又は磁気ディスクである。再生経過時間は、再生されるコンテンツデータのメディア上の記憶位置を示す。再生装置は、再生中、現在再生しているコンテンツデータの記憶位置を再生経過時間で表示する。ユーザは、この再生経過時間により、コンテンツデータの先頭から現在再生されている記憶位置までに経過した時間を把握する。
そして、ＶＣＲにもある早送りが指示されると、早送制御手段は、再生を禁止した状態で再生経過時間だけを早く進ませる。これにより、再生装置における早送りでも、見た目上ＶＣＲと同じ動作に見える。そして、ユーザは、表示手段の表示を見ながら、所望の再生経過時間まで待ち、再生又は停止を再生装置に指示して早送りを終了する。これにより、ユーザは、停止した再生経過時間から、即ち所望の記憶位置から、メディアに記録されているコンテンツを視聴できる。
以上より、再生装置では早送りの動作がＶＣＲと見た目上同じになっているため、従来よりＶＣＲを使用してきたユーザでも、再生装置を使用する際に戸惑いを感じることがない。従って、再生装置は、ＶＣＲとの違いから生じる混乱を解消させることができる。
【０００９】
（２）予め定められた入力操作により前記再生と異なる巻戻しが指定されると、前記表示手段に表示される前記再生経過時間を、前記再生時に経過する前記再生経過時間の時間経過速度より速く戻させるとともに、前記再生経過時間を速く戻させている間、前記再生手段による前記再生を禁止する巻戻制御手段を備え、
前記巻戻制御手段は、
前記巻戻しの終了が指定されると、前記表示手段に表示される前記再生経過時間を速く戻させる処理を停止し、
前記再生が指定されると、停止した前記再生経過時間から前記コンテンツデータを再生するよう前記再生手段に指示する。
【００１０】
この構成において、ＶＣＲにもある巻戻しが指示されると、巻戻制御手段は、再生を禁止した状態で再生経過時間だけを早く進ませる。これにより、再生装置における巻戻しでも、見た目上ＶＣＲと同じ動作に見える。そして、ユーザは、表示手段の表示を見ながら、所望の再生経過時間まで待ち、再生又は停止を再生装置に指示して巻戻しを終了する。これにより、ユーザは、停止した再生経過時間から、即ち所望の記憶位置から、メディアに記録されているコンテンツを視聴できる。
以上より、再生装置では巻戻しの動作がＶＣＲと見た目上同じになっているため、従来よりＶＣＲを使用してきたユーザでも、再生装置を使用する際に戸惑いを感じることがない。従って、再生装置は、ＶＣＲとの違いから生じる混乱を解消させることができる。
【００１１】
（３）前記メディアには、コンテンツデータがタイトル毎に記録されており、
前記表示手段は、前記早送り中又は前記巻戻し中、現在の再生経過時間のコンテンツデータを含むタイトルの名称又は番号を表示する。
【００１２】
再生経過時間の表示だけでは、ユーザは、現在の再生経過時間のコンテンツデータがどのタイトルのものなのか分からない。
この構成においては、タイトルの名称又は番号を表示している。
これにより、ユーザは、現在の再生経過時間のコンテンツデータ、即ち現在早送り中又は現在巻戻し中のコンテンツデータがどのタイトルのものなのか知ることができる。
【００１３】
（４）前記メディアは、光ディスクである。
【００１４】
この構成において、光ディスクは、例えばＤＶＤ、ブルーレイディスクである。
【発明の効果】
【００１５】
この発明によれば、再生装置は、ＶＣＲとの違いから生じる混乱を解消させることができる。
【発明を実施するための最良の形態】
【００１６】
以下、本発明の実施形態である光ディスク装置について説明する。
【００１７】
図１は、本発明の実施形態である光ディスク装置の主要な構成を示すブロック図である。光ディスク装置１は、装置本体１の各部の動作を制御する制御部６と、光ディスク１００に対しデータの読取を行うピックアップヘッド２（以下、PUヘッド２と称する。）と、RFアンプなどの再生回路３と、ユーザの操作を受け付ける操作部１０と、装置本体１を遠隔操作するリモコン１２と、を備えている。さらに、光ディスク装置１は、情報を表示する表示部９と、データを記憶する記憶部１１と、音声データをアナログの再生音声信号に変換する音声処理部５と、と、ＯＳＤ画像を生成するOSD処理部８と、画像データをアナログの再生画像信号に変換する画像合成部１３と、を備えている。
【００１８】
光ディスク１００は、例えばＣＤ、又はＤＶＤである。光ディスク装置１は、所謂ＤＶＤプレーヤである。
【００１９】
PUヘッド２は、図示しないレーザダイオード（ＬＤ）、コリメータレンズ、ビームスプリッタ、対物レンズ、フォトディテクタ、スレッドモータ、及びアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射時間を調節する。また、アクチュエータは、対物レンズを光ディスク１００に接離する方向、及び光ディスク１００の半径方向に移動させる。
【００２０】
再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２１】
再生回路３は、ＰＵヘッド２における複数の受光素子の出力に基づいてＲＦ信号を生成し、該ＲＦ信号を増幅する。そして、再生回路３は、該ＲＦ信号を処理して画像と音声のデータを取り出す。ここで、取り出される画像と音声のデータは、例えばMPEGでエンコードされている。そして、再生回路３は、取り出したデータをデコードする。そして、再生回路３は、音声データを音声処理部５に、画像データを画像合成部１３に、これらのデータの同期を取りながら、それぞれ出力する。
【００２２】
音声処理部５は、音声データをアナログの再生音声信号に変換し、その再生音声信号を外部のテレビジョン１０１に出力する。
なお、テレビジョン１０１がディジタル対応（例えばＨＤＭＩ規格）であれば、ディジタルで出力しても構わない。
【００２３】
OSD処理部８は、不図示のＯＳＤ画像メモリ（不図示）を内蔵する。ＯＳＤ画像メモリは、例えばフラッシュメモリで構成される。OSD処理部８は、制御部６から与えられる制御信号に基づいて、ＯＳＤ画像メモリが記憶しているデータに基づいて文字又は図形のＯＳＤ画像を生成し、画像合成部１３へ出力する。
【００２４】
画像合成部１３は、制御部６から与えられる制御信号に基づいて、再生回路３から出力された画像データに基づく画像に、OSD処理部８から出力されたＯＳＤ画像を合成した合成画像を生成する。そして、画像合成部１３は、この合成画像の信号をアナログの再生画像信号に変換し、外部のテレビジョン１０１に出力する。
又は、画像合成部１３は、再生回路３から出力された画像データをアナログの再生画像信号に変換し、外部のテレビジョン１０１に出力する。
又は、画像合成部１３は、OSD処理部８から出力されたＯＳＤ画像のデータをアナログの再生画像信号に変換し、外部のテレビジョン１０１に出力する。
なお、テレビジョン１０１がディジタル対応（例えばＨＤＭＩ規格）であれば、ディジタルで出力しても構わない。
【００２５】
音声処理部５及び画像合成部１３には、テレビジョン１０１が接続される。テレビジョン１０１は、光ディスク装置1から出力された信号を処理して、画像を画面上に表示したり音声を放音したりする。
以上より、ユーザは、このテレビジョン１０１において、音声処理部５及び画像合成部１３から出力された再生画像信号に基づく画像、及び再生音声信号に基づく音声を視聴することができる。
【００２６】
操作部１０は、ユーザが光ディスク装置１に対して各種の命令（コマンド）を入力するためのものである。操作部１０には、ユーザの操作を受け付ける複数のキーが設けられている。光ディスク装置１に対してユーザが入力したコマンドは制御部６に伝送される。
複数のキーの中には、光ディスク１００の再生を指定するための再生キー、光ディスク１００の早送りを指定するための早送りキー、光ディスク１００の巻戻しを指定するための巻戻しキー、光ディスク１００の再生、早送り、巻戻し等の停止を指定するための停止キー、が含まれる。
【００２７】
操作部１０には、リモコン信号検出部（不図示）が設けられている。リモコン信号検出部に対し、装置本体の外部からリモコン１２を用いて、電源のON／OFF、チャンネルの切替え、音量の調整等の命令が入力されると、リモコン信号検出部は、リモコン１２からの命令信号を受信して制御部６に伝送する。リモコン１２には、操作部１０と同様のキーが設けられている。
【００２８】
表示部９は、時刻、光ディスク装置１の設定状態などを表示する。
【００２９】
記憶部１１は、例えばハードディスクやＥＥＰＲＯＭで構成されており、光ディスク装置１の各部の制御方法が記述された制御プログラムを記憶する。
【００３０】
制御部６は、例えばマイクロコンピュータで構成される。また、制御部６は、上記の主制御プログラムなどを展開するワークフィールドとしてのＲＡＭ６Ａを内蔵する。制御部６は、光ディスク装置１にユーザから入力された命令に応じて光ディスク装置１の各部を制御する。
【００３１】
なお、実際の光ディスク装置では、読取時に、レーザ光の照射時間を光ディスクのトラックの中心に合わせるトラッキングサーボ制御と、レーザ光の合焦時間を光ディスクの記録面に合わせるフォーカスサーボ制御と、を行っているが、本発明の実施形態では図示を省略している。
【００３２】
ここで、ＰＵヘッド２、再生回路３、音声処理部５、及び画像合成部１３が、本発明の「再生手段」に相当する。また、制御部６が、本発明の「早送制御手段」に相当する。また、制御部６が、本発明の「巻戻制御手段」に相当する。また、操作部１０及びリモコン１２が、「操作手段」に相当する。
また、この実施形態では、表示手段としてテレビジョン１０１を用いているが、実施の際は、モニタでも構わない。
【００３３】
図２は、ＤＶＤ−Ｖideoフォーマットで記録された光ディスク上のデータのデータ構造を示す図である。ＤＶＤ−Ｖideoフォーマットで記録された光ディスク１００上には、図２Ａに示すように、その内周から外周にかけてVMGI９５、VMGM_VOBS９６、VMGIbup９７、タイトルＴ１〜Ｔ３が記録される。
VMGI(Video  Manager  Information)９５には、ＤＶＤ−Ｖideo全体の再生関連情報（制御情報）、いわゆるルートメニューの情報が記述されている。例えば、ＶＴＳＩのアドレス情報等もここに記述されている。
【００３４】
VMGM_VOBS(Video  Object  Set  for  VMG  Menu)９６には、ＶＯＢＳ１００３に記述されているコンテンツの再生に先立って再生されるコンテンツが記述されている。このコンテンツには、タイトル選択画面が含まれる。タイトル選択画面とは、光ディスク１００に記録されているタイトルの一覧を表す画面である。光ディスク装置１は、その画面において、再生タイトルの選択を、再生開始前に要求する。
VMGIbup９７には、VMGI９５のバックアップファイルが記述されている。
また、タイトルＴ１は、ＶＴＳＩ（Ｖideo  Ｔitle  Ｓet  Ｉnformation）１００２とＶＯＢＳ（Ｖideo  Ｏbject  Ｓet）１００３とＶＴＳＩbup１００４とから構成されている（図２Ａ参照）。タイトルＴ２、Ｔ３も、タイトルＴ１と同様のデータ構造となっている。ＤＶＤ−Ｖideoフォーマットでは、最大９９タイトルまで収録が可能である。図２Ａでは、３タイトル収録されている。
【００３５】
ＶＴＳＩ１００２には、そのＶＯＢＳ１００３に対する制御情報が記述されている。この制御情報には、そのＶＯＢＳ１００３に含まれるコンテンツデータの光ディスク１００上の記憶位置を示すアドレスと、後述の再生経過時間と、の対応関係を示す対応テーブル（不図示）が記述されている。
【００３６】
ＶＯＢＳ１００３には、タイトル再生のためのコンテンツ（テレビ番組など）データが記述されている。該ＶＯＢＳ１００３には、図２Ｂに示すように、複数のセル１１００〜１１９９から構成されている。
ＶＴＳＩbup１００４には、ＶＴＳＩ１００２のバックアップファイルが記述されている。
ＤＶＤ−Ｖideoフォーマットにおいて、コンテンツデータは、予め決められたセル単位で記録される。
セル１１００は、複数のＶＯＢＵ（Ｖideo  Ｏbject  Ｕnit）１２００〜１２０５で構成される（図２Ｃ参照）。１つのタイトルに含まれるセルの最大数は２５５セルである。そのため、光ディスクに１０時間分のデータを記録する場合、１セルは、例えば２分３０秒である。
ＶＯＢＵ１２００には、先頭にＮＶ＿ＰＣＫ（Ｎavigatyion  Ｐack）１３００が置かれ、続いてビデオデータやオーディオデータ（ＡＶデータ）などがパック化されて挿入される（図２D参照）。コンテンツデータ（ＡＶデータ）のパック化やセル化は、再生回路３においてエンコード時に行われる。
【００３７】
図３は、本発明の実施形態である光ディスク装置の制御部が行う動作を示すフローチャートである。この動作は、ユーザが再生キーを押下した時の動作である。
【００３８】
再生キーが押下されて再生が指示されると、制御部６は、光ディスク１００のタイトルＴ１の先頭から再生を開始する（Ｓ１）。これにより、光ディスク１００からコンテンツデータがＰＵヘッド２により読取られる。そして、タイトルＴ１の先頭から映像と音声がテレビジョン１０１において再生される。この際、光ディスク装置１は、その再生に応じて経過する再生経過時間をテレビジョン１０１にＯＳＤ表示する（後述の図５参照）。再生経過時間は、再生されるコンテンツデータの光ディスク１００上の記憶位置を示す。光ディスク装置１は、再生中、現在再生しているコンテンツデータの位置を再生経過時間で表示する。ユーザは、この再生経過時間により、コンテンツデータの先頭から現在再生されている位置までに経過した時間を把握する。
【００３９】
再生中、制御部６は、停止キーが押下されたか、早送りキーが押下されたか、を判断する（Ｓ２、Ｓ３）。Ｓ２では、再生中に一旦再生停止し、その後に、ユーザが早送りをする場面を想定している。また、Ｓ３では、再生中に、ユーザが早送りをしたくなった場面を想定している。
【００４０】
早送りキーが押下されると、制御部６は、再生を停止し（Ｓ４）、停止時の再生経過時間をＲＡＭ６Ａで記憶する（Ｓ５）。そして、制御部６は、後述の図４の早送り処理を実行し（Ｓ１１）、本処理を終了する。
【００４１】
一方、Ｓ２において停止キーが押下されると、制御部６は、再生を停止し（Ｓ４）、停止時の再生経過時間をＲＡＭ６Ａで記憶する（Ｓ５）。その後、早送りキーが押下されると（Ｓ８）、制御部６は、後述の図４の早送り処理を実行し（Ｓ１１）、本処理を終了する。
なお、Ｓ８において早送りキーが押下されずにその他の操作が行われた場合（Ｓ９）、制御部６は、対応する処理を実行し（Ｓ１０）、本処理を終了する。
【００４２】
図４は、本発明の実施形態である光ディスク装置の制御部が早送り処理において行う動作を示すフローチャートである。図５Ａは、実行される再生と早送りとの関係を示す再生経過時間軸のタイムチャートである。図５Ｂは、実行される再生と巻戻しとの関係を示す再生経過時間軸のタイムチャートである。図６は、テレビジョン１０１において早送り時に表示される表示内容の一例を示す図である。
【００４３】
まず、制御部６は、現在の再生経過時間と、現在の再生経過時間のコンテンツデータが含まれるタイトルと、をテレビジョン１０１においてＯＳＤ表示する（Ｓ１０１）。そして、制御部６は、テレビジョン１０１に表示される再生経過時間を、再生時に経過する再生経過時間の時間経過速度より速く経過させる（Ｓ１０２）。この時、再生経過時間を速く経過させている間、制御部６は、ＰＵヘッド２の読取を禁止して、再生を禁止する。その理由は、光ディスク装置１で行われる早送りを、見た目上ＶＣＲの早送りに近づけるためである。
Ｓ１０１及びＳ１０２により、例えば「０：２０：００」から早送りを実行した場合（図５Ａ参照）、テレビジョン１０１には、図６に示すような画面が表示される。
なお、この実施形態では、タイトルの番号を表示しているが、実施の際は、タイトルの名称（例えば番組名）を表示しても構わない。
【００４４】
早送りが行われている間、即ちテレビジョン１０１に表示される再生経過時間を速く経過させている間、制御部６は、再生キーが押下されたかどうか、停止キーが押下されたかどうか、最終タイトルＴ３の終端に到達したかどうか、を判断する（Ｓ１０３、Ｓ１０４、Ｓ１０５）。Ｓ１０３、及びＳ１０４では、ユーザが、上記図６の表示を見ながら、所望の再生経過時間まで待ち、再生キー又は停止キーを押下して早送りを終了する状態となっている。そして、最終タイトルＴ１の終端に到達するまでユーザが再生キー又は停止キーを押下しない場合、Ｓ１０５判断肯定となる。
【００４５】
再生キーが押下されて早送りの終了が指定されると（Ｓ１０３）、制御部６は、テレビジョン１０１に表示される再生経過時間を経過させる処理を一時停止する（Ｓ１０６）。そして、制御部６は、停止した再生経過時間からコンテンツデータを再生するようＰＵヘッド２及び再生回路３等に指示する（Ｓ１０７）。そして、制御部６は、図３に示すメインルーチンに戻る。Ｓ１０７により、ユーザは、停止した再生経過時間から、即ち所望の位置から、ＤＶＤをテレビジョン１０１において視聴できる。
なお、制御部６は、停止した再生経過時間に対応するコンテンツデータのアドレスを上記の対応テーブルから取得する。そして、制御部６は、取得したアドレスからＰＵヘッドに読取らせる。ここで、対応テーブルは、タイトルＴ１であれば、ＶＴＳＩ１００２に記述されている（図２Ａ参照）。
【００４６】
同様に、停止キーが押下されて早送りの終了が指定されると（Ｓ１０４）、制御部６は、テレビジョン１０１に表示される再生経過時間を経過させる処理を一時停止する（Ｓ１０８）。さらに、制御部６は、停止時の再生経過時間をＲＡＭ６Ａで記憶する（Ｓ１０９）。そして、制御部６は、図３に示すメインルーチンに戻る。その後、再生が指示されると、制御部６は、停止した再生経過時間からコンテンツデータを再生するようＰＵヘッド２及び再生回路３等に指示する。これにより、ユーザは、停止した再生経過時間から、即ち所望の位置から、ＤＶＤをテレビジョン１０１において視聴できる。
【００４７】
また、Ｓ１０５において最終タイトルＴ３の終端に到達すると、制御部６は、テレビジョン１０１に表示される再生経過時間を経過させる処理を一時停止する（Ｓ１１０）。さらに、制御部６は、停止時の再生経過時間をＲＡＭ６Ａで記憶する（Ｓ１１１）。そして、制御部６は、図３に示すメインルーチンに戻る。その後、再生が指示されると、制御部６は、再生すべきコンテンツデータが無いことを表すブルーバック画面（又はブラックバック画面）を出画するようＰＵヘッド２及び再生回路３等に指示する。これにより、ユーザは、早送りによりＤＶＤの最後の位置まで来たことをテレビジョン１０１において知ることができる。
【００４８】
以上のように、光ディスク装置１では、早送りの動作がＶＣＲと見た目上同じになっている。そのため、従来よりＶＣＲを使用してきたユーザでも、光ディスク装置１を使用する際に戸惑いを感じることがない。従って、光ディスク装置１は、ＶＣＲとの違いから生じる混乱を解消させることができる。
また、Ｓ１０１においてタイトルの番号を表示しているので、ユーザは、現在の再生経過時間のコンテンツデータ、即ち現在早送り中又は現在巻戻し中のコンテンツデータがどのタイトルのものなのか知ることができる。
【００４９】
なお、本発明の実施形態は、早送りだけでなく、巻戻しにも適用できる。巻戻しの場合、図３から図５の「早送り」の文字を「巻戻し」に入れ替えることにより、本発明の実施形態を適用できる。また、実行される再生と巻戻しとの関係は、図５Ｂに示す関係となる。これにより、光ディスク装置１では、巻戻しの動作がＶＣＲと見た目上同じになる。従って、巻戻しの場合も、早送りと同様の効果を奏する。
【図面の簡単な説明】
【００５０】
【図１】本発明の実施形態である光ディスク装置の主要な構成を示すブロック図
【図２】ＤＶＤ−Ｖideoフォーマットで記録された光ディスク上のデータのデータ構造を示す図
【図３】本発明の実施形態である光ディスク装置の制御部が行う動作を示すフローチャート
【図４】本発明の実施形態である光ディスク装置の制御部が早送り処理において行う動作を示すフローチャート
【図５】実行される再生と早送り／巻戻しとの関係を示す再生経過時間軸のタイムチャート
【図６】テレビジョン１０１において早送り時に表示される表示内容の一例を示す図
【符号の説明】
【００５１】
１−光ディスク装置
２−ピックアップヘッド
３−再生回路
５−音声処理部
６−制御部
６Ａ−ＲＡＭ
８−OSD処理部
９−表示部
１０−操作部
１１−記憶部
１２−リモコン
１３−画像合成部
１００−光ディスク
１０１−テレビジョン
【図１】
2009020973.tif 000003
【図２】
2009020973.tif 000004
【図３】
2009020973.tif 000005
【図４】
2009020973.tif 000006
【図５】
2009020973.tif 000007
【図６】
2009020973.tif 000008